(57)【要約】【課題】本発明は、平面上に開いた状態に本を保持し、なおかつスタンドにもなり、しおりにもある、頁押さえブックカバースタンドを提供する。【手段】頁押さえブックカバースタンド本体の左右に袋部を設け、本の背部に帯状に伸ばしてはみ出す形で頁押え部本体を設け、はみ出した所に頁押え部を形成し、頁押え部本体と頁押え部の全体を通して、ワイヤーを内設し、ブックカバー本体背部に留め部材を設け、他方で、腰部とそこから下に伸びる二本の脚部と脚部先端に足部を持つスタンドを用意し、その腰部に留め部材を設けて必要な時に留めて利用し、スタンド全体を通してワイヤーを内設したブックカバースタンド。【選択図】図１
2014218069.tif 000002
【特許請求の範囲】
【請求項１】
頁押さえブックカバースタンド本体の左右両端部に、本の左右両端を挿入する袋部を設け、本の背部中央を帯状に横断して左右いっぱいに伸ばして、更に本のサイズをはみ出す形で延長された頁押え部本体を設け、そのはみ出し延長部分を頁押え部として形成するが、頁押え部本体と頁押え部の全体を通して、横一本もしくは縁取る形で、ワイヤーを内設し、ブックカバー本体背部上部を股ぐ形状で留め部材を設け、他方で、腰部とそこから下に伸びる二本の脚部と脚部先端に足部を持つスタンドを用意し、その腰部に留め部材を設けて必要な時にブックカバーの留め部材にスタンドの留め部材を留めて利用し、スタンド全体を通して、一本もしくは縁取る形でワイヤーを内設した頁押さえブックカバースタンドである。
【発明の詳細な説明】
【技術分野】
【０００１】  本発明は、手や他の物で押さえることなく、平面上に開いた状態で本が読めて、なおかつブックスタンドにもなり、しおりの機能もある頁押さえブックカバースタンドに関するものである。
【背景技術】
【０００２】  従来では、本を開いた状態を保持するためには、何等かの方法によって、押えておく必要があった。本を閉じる時は、紙状のしおりを挟むか、本の上部に取り付けられた紐を挟んでいた。ブックスタンドを使用する時は、その都度、本をセットして取り外していた。
【発明の概要】
【発明が解決しようとする課題】
【０００３】  従来、次のような問題点があった。
（イ）本を開いた状態を保持できず、何等かの方法によって、押えておく必要があり、        不便であった。
（ロ）本を閉じる時は、読みかけの頁が分かるように、紙状のしおりを挟むか、本の上        部に取り付けられた紐を挟まなければならかった。
（ハ）ブックスタンドの多くは、本を置くためのプレートや押え部がいくつもあり、携        帯や持ち運びに適していなかった。
（ニ）ブックスタンドを使用する際は本の頁を開いてセットしたり、本を取り外してブ        ックスタンドを片づける手間があった。
本発明は、以上の問題点を解決するためになされたものである。
【課題を解決するための手段】
【０００４】  ブックカバー本体の左右両端部に、本の左右両端を挿入する袋部を設け、本の背部中央を帯状に横断して左右いっぱいに伸ばして、更に本のサイズをはみ出す形で延長された頁押え部本体を設け、そのはみ出し延長部分を頁押え部として形成するが、頁押え部本体と頁押え部の全体を通して、横一本もしくは縁取る形で、ワイヤーを内設し、ブックカバー本体背部上部を股ぐ形状で留め部材を設け、他方で、腰部とそこから下に伸びる二本の脚部と脚部先端に足部を持つスタンドを用意し、その腰部に留め部材を設け、必要な時にブックカバーの留め部材にスタンドの留め部材を留めて利用する。スタンド全体を通して、一本もしくは縁取る形でワイヤーを内設する。
本発明は、以上の構成よりなる頁押さえブックカバースタンドである。
【発明の効果】
【０００５】  （イ）ブックカバー本体に設けられた頁押え部は、めくった頁を片手で差し込むことが        できて、本を開いた状態が保持できる。
（ロ）本を閉じる時は、頁押え部を挟んだまま本を閉じ、そのまま本を開いて続きを読        むことができるので、しおりを挟んだり外したりする必要がなく、頁押え部を本        の間に挟みこんだまま携帯したり持ち運ぶことができる。
（ハ）ブックカバーの留め部材にスタンドの留め部材を留めることでブックスタンドと        しても利用することができる。スタンドをブックカバーに取り付けたまま、携帯        したり持ち運ぶこともできるし、スタンドの取り外しは簡単にできるので、ブッ        クカバーから取り外して別個に携帯したり持ち運ぶこともできる。
（ニ）ブックカバー本体からカバー面を取り除いた形で、頁押え部本体と頁押え部のみ        を利用することもできる。その場合は、既存のブックカバーに重ねて装着し、頁        押えブックスタンドとして使用することもできる。
【図面の簡単な説明】
【０００６】
【図１】本発明を使用している状態を示す正面図
【図２】図１における頁押え部を本から外した状態を示す正面図
【図３】本発明においてブックカバーからスタンドを外した状態を示す背面図
【図４】図３において外されていたスタンドをブックカバーに装着した状態を示す背面図
【図５】本発明においてブックカバーとスタンドの留め部材の構成を、ブックカバー背部上部を股ぐ形状で帯状に差し込み口を設けて、スタンドの腰部を差し込んで装着した実施例を示す背面図
【図６】本発明から本のカバー面を取り除いて、頁押え部本体とスタンドのみを利用する場合の実施例を示す背面図
【図７】本発明から本のカバー面を取り除いた頁押え部本体のスタンド留め部材の構成を、頁押え部本体背部中央に帯状に差し込み口を設けて、スタンドの腰部を差し込んで装着した実施例を示す背面図
【発明を実施するための形態】
【０００７】  以下、本発明の実施の形態を説明する。
ブックカバー本体（１）の左右両端部に、本の左右両端を挿入する袋部（３）を設け、本の背部中央を帯状に横断して左右いっぱいに伸ばして、更に本のサイズをはみ出す形で延長された頁押え部本体（４）を設け、そのはみ出し延長部分を頁押え部（２）として形成するが、頁押え部本体（４）と頁押え部（２）の全体を通して、横一本もしくは縁取る形で、ワイヤーを内設し、ブックカバー本体（１）背部上部を股ぐ形状で留め部材（５）を設け、他方で、腰部とそこから下に伸びる二本の脚部（６）と脚部（６）先端に足部（８）を持つスタンド（９）を用意し、その腰部（７）に留め部材（５）を設けて必要な時にブックカバーの留め部材（５）に腰部（７）の留め部材（５）を留めて利用する。スタンド（９）全体を通して、一本もしくは縁取る形でワイヤーを内設する。頁押え部（２）を透明な素材で形成したり、留め部材（５）はバックル、ホック、ボタン、マジックテープ、結び付け等用いて留めても構わないし、ブックカバー本体（１）背部上部を股ぐ形状で帯状に差し込み口（１０）を設け、その差し込み口（１０）に差し込める形状の腰部（７）を設け、差し込み口（１０）に腰部（７）を差し込んで利用しても良い。
本発明は、以上のような構造でこれを使用する時は、ブックカバー本体（１）の両端に設けられた袋部（３）に本の両端左右を挿入して本を開き、本のサイズに合わせて頁押え部（２）の両端を内側に折り曲げて、開いた頁の上に軽くのせて押し止める。
頁をめくる時は、内側に折り曲げた頁押え部（２）の下から頁を一枚抜き取り、内側に折り曲げられたもう一方の頁押え部（２）の下へと頁を滑りこませて差し込む。本を閉じる時は、内側に折り曲げられた両頁押え部（２）が頁を押えた状態のままにすることでしおりになり、本を閉じ、続きを読む時は、そのまま本を開いて読む。
頁押え部（２）を柔軟に曲げて、両頁押え部（２）が重ならないようにずらして挟むことができるので、本がかさばらず、携帯したり持ち運ぶことができる。
スタンド（９）を使用する時は、ブックカバーの留め部材（５）に、分離のスタンド（９）の留め部材（５）を留めて、足部（８）を折り曲げて立たせてスタンド（９）にし、本を寄りかからせて、頁押さえブックカバースタンドとして使用することができる構成である。
なお、第２実施例として、次の方法がある。
ブックカバー本体（１）からカバー面を取り除いた形で、頁押え部本体（４）と頁押え部（２）のみを利用し、頁押え部本体（４）を横一文字に置き、その頁押え部本体（４）の中心に、本の頁を開いた中心が重なるように載せ、本のサイズに合わせて頁押え部（２）の両端を内側に折り曲げて、開いた頁の上に軽くのせて押し止めることで、同様の使い方が可能である。その際、スタンド（９）も同様に利用できる。
【符号の説明】
【０００８】  （１）ブックカバー本体
（２）頁押え部
（３）袋部
（４）頁押え部本体
（５）留め部材
（６）脚部
（７）腰部
（８）足部
（９）スタンド
（１０）差し込み口
【図１】
2014218069.tif 000003
【図２】
2014218069.tif 000004
【図３】
2014218069.tif 000005
【図４】
2014218069.tif 000006
【図５】
2014218069.tif 000007
【図６】
2014218069.tif 000008
【図７】
2014218069.tif 000009